(57)【要約】【課題】扉枠と扉の間の間隔を、３次元方向の各々へ独立して調整可能であり、かつ扉表側から容易に調整可能な蝶番を提供する。【解決手段】固定側筒部７および回動側筒部３０のいずれか一方に枢着して回転方向の固定位置を調整可能であり、かつ当該一方と偏芯する偏芯軸部を備えた枢軸部材１２と、固定側筒部および回動側筒部のいずれか他方に枢着して回転方向の固定位置を調整可能であり、かつ当該他方と偏芯して前記偏芯軸部と回動可能に枢着する偏芯枢着孔３３を備えた枢着孔部材１３と、固定側筒部または回動側筒部に螺合して、当該固定側筒部または回動側筒部の内部の枢軸部材または枢着孔部材を軸方向へ調整可能に昇降させる昇降部材５１と、を有し、前記枢軸部材、枢着孔部材および昇降部材の調整を、扉表側における各々の部材の回転外方向側から可能な蝶番である。【選択図】図４
2010089942.tif 000002
【特許請求の範囲】
【請求項１】
扉が閉じた状態で扉と突き合わされる扉枠の側面に取り付けられる固定側羽根部に対して筒状の固定側筒部が固定された固定側部材と、前記扉枠の側面と突き合わされる扉の側面に取り付けられる回動側羽根部に対して筒状の回動側筒部が固定された回動側部材とを有し、前記固定側筒部および回動側筒部が、前記扉が閉じた状態で前記固定側羽根部および回動側羽根部に対して前記扉が開く扉表側に位置する蝶番であって、
前記固定側筒部および回動側筒部のいずれか一方に枢着して回転方向の固定位置を選択的に調整可能であり、かつ当該一方と偏芯する偏芯軸部を備えた枢軸部材と、
前記固定側筒部および回動側筒部のいずれか他方に枢着して回転方向の固定位置を選択的に調整可能であり、かつ当該他方と偏芯する偏芯枢着孔を備え、前記偏芯軸部が当該偏芯枢着孔と回動可能に枢着する枢着孔部材と、
前記固定側筒部または回動側筒部に螺合して、当該固定側筒部または回動側筒部の内部の枢軸部材または枢着孔部材を軸方向へ押圧して調整可能に昇降させる昇降部材と、を有し、
前記枢軸部材、枢着孔部材および昇降部材の調整を、前記扉表側における各々の部材の回転外方向側から調整可能な蝶番。
【請求項２】
前記枢軸部材および枢着孔部材の少なくとも一方には、前記固定側筒部または回動側筒部に対する回転方向の位置を記号で表示した外周面を有する表示部が備えられ、当該表示部に、前記枢軸部材または枢着孔部材を回転させるための回転調整部が設けられた請求項１に記載の蝶番。
【請求項３】
前記表示部の外周面および前記昇降部材の外周面に、各々の部材を回転させるための複数の孔部が周方向へ並んで形成された請求項２に記載の蝶番。
【請求項４】
前記固定側羽根部または回動側羽根部に、前記固定側部材と回動側部材の間の変位量を前記記号に対応して表示した説明ラベルが貼り付けられた請求項２または３に記載の蝶番。
【請求項５】
前記説明ラベルには、前記扉枠に対する前記扉の移動方向および移動寸法に対応する位置に、前記記号が表示された請求項４に記載の蝶番。
【請求項６】
前記枢軸部材および枢着孔部材の各々に、前記偏芯軸部および偏芯枢着孔と同一中心軸を有し、かつ前記固定側筒部または回動側筒部を覆うカバーが固定された請求項１〜５のいずれか１項に記載の蝶番。
【請求項７】
前記枢軸部材および枢着孔部材の少なくとも一方には、前記固定側筒部または回動側筒部に対する回転方向の位置を記号で表示した外周面を有する表示部が備えられ、前記表示部は前記偏芯軸部および偏芯枢着孔と同一中心軸を有し、かつ前記表示部の外径が前記カバーの内径と一致する請求項６に記載の蝶番。
【請求項８】
前記枢軸側カバーおよび枢着孔側カバーの少なくとも一方は、前記偏芯軸部および偏芯枢着孔と同一中心軸を有する係合手段によって前記枢軸部材または枢着孔部材と係合する、請求項６または７に記載の蝶番。
【請求項９】
扉が閉じた状態で扉と突き合わされる扉枠の側面に取り付けられる固定側羽根部に対して筒状の固定側筒部が固定された固定側部材と、前記扉枠の側面と突き合わされる扉の側面に取り付けられる回動側羽根部に対して筒状の回動側筒部が固定された回動側部材とを有し、前記固定側筒部および回動側筒部が、前記扉が閉じた状態で前記固定側羽根部および回動側羽根部に対して前記扉が開く扉表側に位置する蝶番であって、
前記固定側筒部および回動側筒部のいずれか一方に枢着して回転方向の固定位置を選択的に調整可能であって当該一方と偏芯する偏芯軸部、並びに軸断面が非円形の枢軸側回転調整部を備えた枢軸部材と、
前記固定側筒部および回動側筒部のいずれか他方に枢着して回転方向の固定位置を選択的に調整可能であって当該他方と偏芯する偏芯枢着孔、並びに前記枢軸部材に固定されて軸断面が非円形の枢着孔側回転調整部を備え、前記偏芯軸部が偏芯枢着孔と回動可能に枢着する枢着孔部材と、
前記枢軸部材を覆い、前記枢軸側回転調整部の外周面が一定回転毎に非回転的に嵌合する内周面を有する枢軸側カバーと、
前記枢着孔部材を覆い、前記枢着孔側回転調整部の外周面が一定回転毎に非回転的に嵌合する内周面を有する枢着孔側カバーと、を有し、
前記枢軸部材および枢着孔部材の調整を、前記扉表側における各々の部材の回転外方向側から調整可能な蝶番。
【請求項１０】
前記枢軸側カバーおよび枢着孔側カバーの少なくとも一方は、軸方向にスライド可能であり、当該スライドにより、前記枢軸側回転調整部または枢着孔側回転調整部との嵌合を実行または解除する請求項９に記載の蝶番。
【請求項１１】
前記枢軸側回転調整部および枢着孔側回転調整部の少なくとも一方の軸断面は、正多角形である請求項９または１０に記載の蝶番。
【請求項１２】
前記固定側筒部または回動側筒部に螺合して、当該固定側筒部または回動側筒部の内部の枢軸部材または枢着孔部材を軸方向へ押圧して調整可能に昇降させる昇降部材を更に有する、請求項９〜１１のいずれか１項に記載の蝶番。
【請求項１３】
前記枢軸側カバーおよび枢着孔側カバーは、前記偏芯軸部および偏芯枢着孔と同一中心軸を有する、請求項９〜１２のいずれか１項に記載の蝶番。
【請求項１４】
前記枢軸側カバーおよび枢着孔側カバーの少なくとも一方は、前記偏芯軸部および偏芯枢着孔と同一中心軸を有する係合手段によって前記枢軸部材または枢着孔部材と係合する、請求項１３に記載の蝶番。
【請求項１５】
前記枢軸部材および枢着孔部材の少なくとも一方には、前記固定側筒部または回動側筒部に対する回転方向の位置を記号で表示した外周面を有する表示部が備えられた、請求項９〜１４のいずれか１項に記載の蝶番。
【請求項１６】
前記固定側羽根部または回動側羽根部に、前記固定側部材と回動側部材の間の変位量を前記記号に対応して表示した説明ラベルが貼り付けられた、請求項１５に記載の蝶番。
【請求項１７】
前記説明ラベルには、前記扉枠に対する前記扉の移動方向および移動寸法に対応する位置に、前記記号が表示された、請求項１６に記載の蝶番。
【発明の詳細な説明】
【技術分野】
【０００１】
本発明は、扉枠と扉の間の間隔を、３次元方向の各々に独立して調整可能な蝶番に関する。
【背景技術】
【０００２】
従来より、扉枠に扉を回動可能に取り付けるために、扉枠に固定される板状の固定側部材と扉に固定される板状の回動側部材を備えた蝶番が用いられている（例えば、特許文献１参照）。特許文献１に記載の蝶番は、固定側部材に固定される受け筒部に任意の回転位置で固定可能な偏芯軸部が設けられ、この偏芯軸部が、回動側部材に固定される被せ筒部に回転可能に枢着する構造を有している。したがって、偏芯軸部の回転位置を調整することで、扉を扉枠に対して水平面で移動させることができる。また、偏芯軸部は、受け筒部に螺合する昇降調整ネジ部により昇降可能となっているため、扉を扉枠に対して昇降させることもできる。
【先行技術文献】
【特許文献】
【０００３】
【特許文献１】特開２０００−３４８５２号公報
【発明の開示】
【発明が解決しようとする課題】
【０００４】
しかし、上述の特許文献１に記載の蝶番は、偏芯軸部を回転させることで扉を扉枠に対して水平面に移動させるため、水平面で交差する２方向へ独立して移動させることができない。すなわち、水平面の１方向へ扉を移動させようとすると、水平面の移動させたい方向と交差する他の方向へも扉が移動してしまう。更に、昇降調整ネジ部は、下方からドライバー等により調整する必要があり、たとえば蝶番が扉の下方に設置されている場合等に、調整が困難となる場合がある。【０００５】
本発明は、上記従来技術に伴う課題を解決するためになされたものであり、扉枠と扉の間の間隔を、３次元方向の各々へ独立して調整可能であり、かつ扉表側から容易に調整可能な蝶番を提供することを目的とする。【０００６】
また、本発明は、扉枠と扉の間の間隔を、少なくとも２次元方向の各々へ独立して調整可能であり、かつ作業性がより向上された蝶番を提供することを目的とする。
【課題を解決するための手段】
【０００７】
上記目的を達成する本発明に係る蝶番は、扉が閉じた状態で扉と突き合わされる扉枠の側面に取り付けられる固定側羽根部に対して筒状の固定側筒部が固定された固定側部材と、前記扉枠の側面と突き合わされる扉の側面に取り付けられる回動側羽根部に対して筒状の回動側筒部が固定された回動側部材とを有し、前記固定側筒部および回動側筒部が、前記扉が閉じた状態で前記固定側羽根部および回動側羽根部に対して前記扉が開く扉表側に位置する蝶番である。当該蝶番は、前記固定側筒部および回動側筒部のいずれか一方に枢着して回転方向の固定位置を選択的に調整可能であり、かつ当該一方と偏芯する偏芯軸部を備えた枢軸部材と、前記固定側筒部および回動側筒部のいずれか他方に枢着して回転方向の固定位置を選択的に調整可能であり、かつ当該他方と偏芯する偏芯枢着孔を備え、前記偏芯軸部が当該偏芯枢着孔と回動可能に枢着する枢着孔部材と、前記固定側筒部または回動側筒部に螺合して、当該固定側筒部または回動側筒部の内部の枢軸部材または枢着孔部材を軸方向へ押圧して調整可能に昇降させる昇降部材と、を有し、前記枢軸部材、枢着孔部材および昇降部材の調整を、前記扉表側における各々の部材の回転外方向側から調整可能な蝶番である。【０００８】
上記目的を達成する本発明に係る他の蝶番は、扉が閉じた状態で扉と突き合わされる扉枠の側面に取り付けられる固定側羽根部に対して筒状の固定側筒部が固定された固定側部材と、前記扉枠の側面と突き合わされる扉の側面に取り付けられる回動側羽根部に対して筒状の回動側筒部が固定された回動側部材とを有し、前記固定側筒部および回動側筒部が、前記扉が閉じた状態で前記固定側羽根部および回動側羽根部に対して前記扉が開く扉表側に位置する蝶番であって、前記固定側筒部および回動側筒部のいずれか一方に枢着して回転方向の固定位置を選択的に調整可能であって当該一方と偏芯する偏芯軸部、並びに軸断面が正多角形の枢軸側回転調整部を備えた枢軸部材と、前記固定側筒部および回動側筒部のいずれか他方に枢着して回転方向の固定位置を選択的に調整可能であって当該他方と偏芯する偏芯枢着孔、並びに前記枢軸部材に固定されて軸断面が正多角形の枢着孔側回転調整部を備え、前記偏芯軸部が当該偏芯枢着孔と回動可能に枢着する枢着孔部材と、前記枢軸部材を覆い、前記枢軸側回転調整部の外周面が非回転的に嵌合する内周面を有する枢軸側カバーと、前記枢着孔部材を覆い、前記枢着孔側回転調整部の外周面が非回転的に嵌合する内周面を有する枢着孔側カバーと、を有し、前記枢軸部材および枢着孔部材の調整を、前記扉表側における各々の部材の回転外方向側から調整可能な蝶番である。
【発明の効果】
【０００９】
上記のように構成した本発明に係る蝶番は、固定側部材に回転方向の固定位置を調整可能で偏芯軸部を備えた枢軸部材と、回動側部材に回転方向の固定位置を調整可能で偏芯枢着孔を備えた枢着孔部材とを有しており、２つの偏芯位置を調整することができる。したがって、水平面で交差する２方向の各々へ扉を独立して移動させることができる。更に、昇降部材が設けられているため、扉を昇降させることもでき、扉を３次元方向の各々へ独立して調整することが可能である。また、枢軸部材および枢着孔部材の固定位置の調整並びに昇降部材の昇降の調整が、扉表側における各々の部材の回転外方向側から調整可能であるため、調整時のアクセスが容易で作業性に優れ、扉枠と扉の位置関係を目視しつつ、容易に調整することができる。【００１０】
上記のように構成した本発明に係る他の蝶番は、固定側部材に回転方向の固定位置を調整可能な偏芯軸部を備えた枢軸部材と、回動側部材に回転方向の固定位置を調整可能な偏芯枢着孔を備えた枢着孔部材とを有しており、２つの偏芯位置を調整することができる。したがって、水平面で交差する２方向の各々へ扉を独立して移動させることができる。また、枢軸部材および枢着孔部材の固定位置の調整が、扉表側における各々の部材の回転外方向側から調整可能であるため、調整時のアクセスが容易で作業性に優れ、扉枠と扉の位置関係を目視しつつ、容易に調整することができる。さらに、断面が非円形の枢軸側回転調整部および枢着孔側回転調整部の外周面が嵌合する枢軸側カバーおよび枢着孔側カバーが設けられているため、枢軸側カバーおよび枢着孔側カバーによって枢軸側回転調整部および枢着孔側回転調整部を容易に固定でき、作業性が向上する。
【図面の簡単な説明】
【００１１】
【図１】本発明の第１実施形態に係る蝶番の平面図である。
【図２】本発明の第１実施形態に係る蝶番に貼り付けられる説明ラベルを示す図である。
【図３】扉および扉枠に取り付けられた蝶番を上方から見た平面図である。
【図４】同蝶番の縦断面図である。
【図５】同蝶番の分解斜視図である。
【図６】本発明の第１実施形態に係る蝶番が適用された扉を閉じた際の、カバーを取り外した蝶番を示す平面図である。
【図７】本発明の第１実施形態に係る蝶番の固定側部材に対する枢軸部材の動きを示す平面図である。
【図８】本発明の第１実施形態に係る蝶番の回動側部材に対する枢着孔部材の動きを示す平面図である。
【図９】扉を水平面方向へ調整する際の、固定側表示部および固定側表示部の回転角度を決定するための表である。
【図１０】本発明の第２実施形態に係る蝶番の平面図である。
【図１１】本発明の第２実施形態に係る蝶番に貼り付けられる説明ラベルを示す図である。
【図１２】扉および扉枠に取り付けられた蝶番を上方から見た平面図である。
【図１３】同蝶番の縦断面図である。
【図１４】同蝶番の分解斜視図である。
【図１５】本発明の第２実施形態に係る蝶番が適用された扉を閉じた際の平面図である。
【図１６】本発明の第２実施形態に係る蝶番の固定側部材に対する枢軸部材の動きを示す平面図である。
【図１７】本発明の第２実施形態に係る蝶番の回動側部材に対する枢着孔部材の動きを示す平面図である。
【図１８】本発明の第２実施形態に係る蝶番の固定側部材を上下に反転させた際の蝶番を上方から見た平面図である。
【図１９】本発明の第３実施形態に係る蝶番の分解斜視図である。
【図２０】本発明の第３実施形態に係る蝶番の縦断面図である。
【図２１】本発明の第４実施形態に係る蝶番の分解斜視図である。
【発明を実施するための形態】
【００１２】
以下、図面を参照して、本発明の実施の形態を説明する。なお、図面の説明において同一の要素には同一の符号を付し、重複する説明を省略する。
＜第１実施形態＞
第１実施形態に係る蝶番１は、図１〜５に示すように、扉枠２に固定される固定側部材４と、固定側部材４と回動可能に連結されるとともに扉３に固定された回動側部材５とを有している。なお、蝶番１は、扉３の上下２箇所に取り付けられるが、上下の２つの蝶番１は同一構造であるため、一方のみを示して説明する。
【００１３】
固定側部材４は、扉枠２にネジ留めされる固定側羽根部６と、固定側羽根部６の下方に固定された筒状の固定側筒部７とを備えている。固定側羽根部６には、扉枠２にネジ留めするためのネジ挿通孔１０が形成され、後述する説明ラベル２７が貼り付けられている。また、回動側部材５は、扉３にネジ留めされる回動側羽根部２９と、回動側羽根部２９の上方に固定された筒状の回動側筒部３０とを備えている。回動側羽根部２９には、扉３にネジ留めするためのネジ挿通孔１１が形成されている。固定側部材４と回動側部材５は、枢軸部材１２、枢着孔部材１３およびスラストブッシュ４８を介して連結される。
【００１４】
固定側羽根部６は、図３に示すように、扉３が閉じた状態で扉３と突き合わされる扉枠２の側面Ｓ１に固定され、前記回動側羽根部２９は、扉３が閉じた状態で扉枠２の側面Ｓ１と突き合わされる扉３の側面Ｓ２に固定される。固定側筒部７および回動側筒部３０は、扉３が閉じた状態で、固定側羽根部６および回動側羽根部２９に対して扉３が開く扉表側Ｄに位置している。
【００１５】
枢軸部材１２は、固定側部材４の固定側筒部７に枢着する固定側基軸部１５と、固定側基軸部１５に固定されて固定側基軸部１５から上方へ延びるとともに、固定側基軸部１５（固定側筒部７）と偏芯した偏芯軸部１６とを有している。偏芯軸部１６の固定側基軸部１５（固定側筒部７）に対する偏芯量は、本実施形態では１ｍｍであるが、適宜設計変更することができる。固定側基軸部１５には、周方向に等間隔で８つの固定側ネジ受け部１８が並んで形成されている。固定側ネジ受け部１８は凹部で形成され、固定側筒部７に形成される横ネジ孔１９にネジ込まれる枢軸部材固定用ネジ１７が当接可能となっている。
【００１６】
固定側基軸部１５の下端には、下方から下カバー取付ネジ孔２０が形成される。下カバー取付ネジ孔２０は、偏芯軸部１６と同軸で形成される。
【００１７】
偏芯軸部１６の下端（固定側基軸部１５の上端）には、偏芯軸部１６と同軸で、かつ外径が固定側筒部７よりも大きい固定側表示部２１が設けられる。固定側表示部２１の外周面には、固定側ネジ受け部１８に対応して、数字の”１”〜”８”が固定側記号として印されている。また、各々の記号の間には、固定側レンチ挿入孔２３（回転調整部）が周方向に等間隔に形成されている。
【００１８】
固定側筒部７の外周には、下カバー２４が取り付けられる。下カバー２４は、円柱の上端が開いたカップ状に形成され、下端面の中心にはネジ貫通孔２５が形成されている。また、下カバー２４の側面には、固定側羽根部６が嵌合するスリット２６が形成されている。下カバー２４の内径は、固定側表示部２１の外径と略一致する。下カバー２４は、下カバー取付ネジ２２（係合手段）をネジ貫通孔２５に貫通させて、枢軸部材１２の下カバー取付ネジ孔２０にネジ留めされる。
【００１９】
枢着孔部材１３は、回動側部材５の回動側筒部３０に枢着する回動側基軸部３１と、回動側基軸部３１の下端から上方へ形成された偏芯枢着孔３３とを有している。偏芯枢着孔３３は、回動側基軸部３１（回動側筒部３０）に対して偏芯して形成されており、回動側基軸部３１（回動側筒部３０）に対する偏芯量は、本実施形態では１ｍｍであるが、適宜設計変更することができる。回動側基軸部３１には、周方向に等間隔で８つの回動側ネジ受け部３４が並んで形成されている。回動側ネジ受け部３４は凹部で形成され、回動側筒部３０に形成される横ネジ孔３５にネジ込まれる枢着孔部材固定用ネジ３６が当接可能となっている。
【００２０】
回動側基軸部３１の上端には、上方から上カバー取付ネジ孔３８が形成される。上カバー取付ネジ孔３８は、偏芯枢着孔３３と同軸で形成される。
【００２１】
回動側基軸部３１の下端には、偏芯枢着孔３３と同軸で、かつ外径が回動側筒部３０よりも大きい回動側表示部４０が設けられる。回動側表示部４０の外周面には、回動側ネジ受け部３４に対応して、数字の”１”〜”８”が回動側記号として印されている。また、各々の記号の間には、回動側レンチ挿入孔４１（回転調整部）が周方向に等間隔に形成されている。
【００２２】
回動側筒部３０の外周には、上カバー４３が取り付けられる。上カバー４３は、円柱の下端が開いたカップ状に形成され、上端面の中心にはネジ貫通孔４４が形成されている。また、上カバー４３の側面には、回動側羽根部２９が嵌合するスリット４５が形成されている。上カバー４３の内径は、回動側表示部４０の外径と略一致する。上カバー４３は、上カバー取付ネジ４７（係合手段）をネジ貫通孔４４に貫通させて、枢着孔部材１３の上カバー取付ネジ孔３８にネジ留めされる。上カバー４３および下カバー２４は、外径が等しく形成される。
【００２３】
枢軸部材１２の偏芯軸部１６は、枢着孔部材１３の偏芯枢着孔３３に回転可能に枢着する。このとき、偏芯軸部１６と偏芯枢着孔３３の間に、スラストブッシュ４８が設けられる。スラストブッシュ４８は、偏芯軸部１６および偏芯枢着孔３３よりも柔らかい材料で形成され、偏芯軸部１６および偏芯枢着孔３３の低温焼き付きを予防する機能を果たす。
【００２４】
回動側筒部３０の内側面の上端には、調整ネジ用ネジ孔５０が形成され、上方から昇降調整ネジ５１（昇降部材）が螺合可能となっている。昇降調整ネジ５１のネジ山が形成される部位には、周方向に均等に並ぶ４つのネジ受け溝５２が形成されている。ネジ受け溝５２は上下方向へ延びて形成され、回動側筒部３０に形成される横ネジ孔５３にネジ込まれる調整ネジ固定用ネジ５４が当接可能となっている。
【００２５】
昇降調整ネジ５１のネジ頭には、周方向に均等に並ぶ４つのレンチ挿入孔５６が形成されている。昇降調整ネジ５１には、上下に貫通する貫通孔５７が形成されており、上カバー取付ネジ４７が接触することなく貫通可能となっている。
【００２６】
上述した上カバー取付ネジ４７、下カバー取付ネジ２２、固定用ネジ１７，３６，５４は、いずれも同じ六角レンチ６０で調整可能である。さらに、同一の六角レンチ６０が、固定側表示部２１の固定側レンチ挿入孔２３、回動側表示部４０の回動側レンチ挿入孔４１、および昇降調整ネジ５１のレンチ挿入孔５６に挿入可能となっている。
【００２７】
次に、本実施形態に係る蝶番１の作用について説明する。
【００２８】
扉枠２および扉３にネジ留めされた蝶番１は、扉３を扉枠２に対して閉じた状態で、図６に示すような状態となる。なお、図６における蝶番１は、上カバー４３および下カバー２４は取り外されており、固定側羽根部６および回動側羽根部２９が、固定側筒部７および回動側筒部３０の紙面奥側に位置し、横ネジ孔１９、３５が、紙面手前側に上下方向に並んで位置している。この横ネジ孔１９、３５が並ぶラインが基準位置Ａとなる。図７および図８では、偏芯軸部１６および偏芯枢着孔３３の動きが見やすいよう、偏芯軸部１６および偏芯枢着孔３３の連結を外した状態で図示しているが、実際には、連結した状態で調整を行っている。
【００２９】
この状態で、枢軸部材固定用ネジ１７、枢着孔部材固定用ネジ３６、調整ネジ固定用ネジ５４を緩め、昇降調整ネジ５１を回転させることで、昇降調整ネジ５１が回動側筒部３０に対して上下方向へ移動する。これにより、昇降調整ネジ５１が枢着孔部材１３を押圧し、回動側部材５が固定側部材４に対して上下方向へ移動し、扉３の鉛直方向への調整が可能となる。昇降調整ネジ５１を回転させるには、昇降調整ネジ５１のレンチ挿入孔５６へレンチ６０を挿入することで、作業者がアクセスしやすい側方から容易に回転させることができる。昇降調整ネジ５１を望ましい位置まで回転させた後、昇降調整ネジ５１のいずれかのネジ受け溝５２を横ネジ孔５３に一致させ、調整ネジ固定用ネジ５４をねじ込んでネジ受け溝５２に当接させて、昇降調整ネジ５１を固定する。なお、調整ネジ固定用ネジ５４はネジ受け溝５２に当接するため、昇降調整ネジ５１のネジ山は潰れることはない。これにより、扉３の鉛直方向への調整が完了する。
【００３０】
次に、扉３を水平面方向へ調整するために、図９に示す表から、固定側表示部２１および回動側表示部４０の回転角度を決定する。図９に示す表は、取り扱い説明書等に表示される。図８中の複数の同心円の中心が、水平面への移動量が０ｍｍの位置を示している。２つの数字が記入された各々の小円は、各々の水平面位置に扉３を調整するための、固定側表示部２１および回動側表示部４０の記号を表している。すなわち、小円内の下側の記号は、基準位置Ａに一致させる固定側表示部２１の固定側記号を表し、小円内の上側の記号は、基準位置Ａに一致させる回動側表示部４０の回動側記号を表している。例えば、扉３を右方向へ１ｍｍ、戸当たり側へ１ｍｍ移動させるには、図９の表から、固定側記号（小円内の下側の記号）を”５”、回動側記号（小円内の上側の記号）を”７”と決定できる。なお、図２に示す、固定側羽根部６に張り付けられる説明ラベル２７は、図９の表を簡易的に表した表である。図２および図９の表には、扉３の扉枠２に対する位置を直感的に把握できるように、扉３および扉枠２が概略的に表されていることが好ましい。すなわち、説明ラベル２７では、扉枠２に対して扉３を移動させたい方向および寸法に対応する位置に、固定側記号および回動側記号が表示されているため、直感的な把握が可能となっている。
【００３１】
基準位置Ａに一致させる固定側記号および回動側記号を決定した後、固定側表示部２１および回動側表示部４０を回転させる。固定側表示部２１および回動側表示部４０を回転させるには、図７，８に示すように、固定側レンチ挿入孔２３および回動側レンチ挿入孔４１にレンチ６０を挿入することで、作業者がアクセスしやすい側方から容易に回転させることができる。固定側表示部２１を回転させると、図７に示すように、偏芯軸部１６が固定側筒部７に対して偏芯しているため、固定側筒部７に対して振れ回ることになる。また、回動側表示部４０を回転させると、図８に示すように、偏芯枢着孔３３が回動側筒部３０に対して偏芯しているため、回動側筒部３０に対して振れ回ることになる。このように、水平面で振れ回る偏芯軸部１６および偏芯枢着孔３３を組み合わせることで、水平面の交差する２方向への移動量を、独立して設定することができる。また、偏芯軸部１６および偏芯枢着孔３３の偏芯量が同一（いずれも１ｍｍ）であるため、互いの偏芯量をキャンセルさせて移動量を０ｍｍに設定することも可能である。
【００３２】
この後、枢軸部材固定用ネジ１７および枢着孔部材固定用ネジ３６を、固定側ネジ受け部１８および回動側ネジ受け部３４に当接するまで六角レンチ６０でねじ込み、枢軸部材１２を固定側筒部７に固定し、枢着孔部材１３を回動側筒部３０に固定する。なお、固定側表示部２１および回動側表示部４０を回転させる順番は、いずれが先でもよい。
【００３３】
この後、下カバー２４および上カバー４３を、固定側筒部７および回動側筒部３０に被せて、下カバー取付ネジ２２および上カバー取付ネジ４７により固定する。このとき、下カバー取付ネジ２２および上カバー取付ネジ４７は、下カバー２４および上カバー４３の中心軸に位置する。また、下カバー取付ネジ２２および上カバー取付ネジ４７が螺合する下カバー取付ネジ孔２０および上カバー取付ネジ孔３８が、偏芯軸部１６および偏芯枢着孔３３と同軸上に位置している。これにより、下カバー２４および上カバー４３は、偏芯軸部１６および偏芯枢着孔３３と同軸上に位置することとなる。したがって、下カバー２４および上カバー４３の各々の中心軸は、扉３を３次元方向へ任意に調整した場合であっても、扉３を回動させる際に同一軸を保つこととなる。したがって、扉３を回動させる際に、下カバー２４および上カバー４３が互いに水平面で振れ回ることなく、下カバー２４および上カバー４３が１つの円柱形状を維持するため、外観が優れている。
【００３４】
第１実施形態に係る蝶番１によれば、昇降調整ネジ５１、偏芯した偏芯軸部１６および偏芯枢着孔３３が設けられるため、３次元方向の各々へ独立して扉３の位置を調整できる。
【００３５】
また、昇降調整ネジ５１、固定側表示部２１、回動側表示部４０、調整ネジ固定用ネジ５４、枢軸部材固定用ネジ１７および枢着孔部材固定用ネジ３６を、共通の一本のレンチ６０のみで調整できるため、作業性に優れている。
【００３６】
また、枢軸部材１２および枢着孔部材１３の回転方向への固定位置の調整並びに昇降調整ネジ５１による昇降の調整が、扉表側における各々の部材の回転外方向側から可能であるため、調整する部材へのアクセスが容易であり、作業性に優れている。なお、ここで回転外方向側とは、各々の部材の外周面に対向する側を意味し、回動する柱状部材の軸方向側ではなく側面方向側を意味している。したがって、扉３を閉じた状態、若しくはほぼ閉じているが調整前で完全には閉じられない状態で、扉枠２と扉３の位置関係を目視しつつ、容易に調整することができる。また、調整の際に扉３を開け閉めすることなく、または扉３を取り外すことなしに調整できるため、作業性に優れている。なお、枢軸部材１２を枢着孔部材１３から外した状態（扉３を扉枠２から外した状態）で調整することもできる。
【００３７】
また、昇降調整ネジ５１、固定側表示部２１および回動側表示部４０を回転させる際に、この昇降調整ネジ５１、固定側表示部２１および回動側表示部４０の外周に形成されるレンチ挿入孔２３，４１，５６へレンチ６０を挿入して回転させるため、作業者がアクセスしやすい蝶番１の側方から容易に回転させることができる。更に、レンチ６０により固定側表示部２１および回動側表示部４０を回転させる方向と、偏芯軸部１６および偏芯枢着孔３３の振れ回る方向が同一であるため、直感的に作業することができ、作業性に優れている。
【００３８】
また、固定側羽根部６および回動側羽根部２９の少なくとも一方（本実施形態では固定側羽根部６）に、説明ラベル２７が貼り付けられているため、長い期間を経た後に蝶番１の再調整を行う際に、例えば説明書等が紛失等されていても、容易に調整が可能となる。特に、上述したようにレンチ一本で直感的に作業することができるため、再調整をより効果的に実施できる。
【００３９】
また、上カバー４３の内径が回動側表示部４０の外径と略一致し、下カバー２４の内径が固定側表示部２１の外径と略一致し、かつ上カバー４３および下カバー２４が、回動側表示部４０および固定側表示部２１と同一中心軸を有するため、上カバー４３および下カバー２４を表示部４０，２１により保持することができる。
【００４０】
また、複雑な構造体（例えばギア部材等）を用いていないため、低コストで作成できる。
＜第２実施形態＞
本実施形態に係る蝶番１０１は、図１０〜１４に示すように、扉枠２に固定される固定側部材１０４と、固定側部材１０４と回動可能に連結されるとともに扉３に固定された回動側部材１０５とを有している。なお、蝶番１０１は、扉３の上下２箇所に取り付けられるが、上下の２つの蝶番１０１は同一構造であるため、一方のみを示して説明する。
【００４１】
固定側部材１０４は、図１３，１４に示すように、扉枠２にネジ留めされる固定側羽根部１０６と、固定側羽根部１０６に固定された筒状の固定側筒部１０７とを備えている。固定側羽根部１０６には、扉枠２にネジ留めするためのネジ挿通孔１１０が形成されている。また、回動側部材１０５は、扉３にネジ留めされる回動側羽根部１２９と、回動側羽根部１２９に固定された筒状の回動側筒部１３０とを備えている。回動側羽根部１２９には、扉３にネジ留めするためのネジ挿通孔１１１が形成され、説明ラベル１２７が貼り付けられている。固定側部材１０４と回動側部材１０５は、枢軸部材１１２および枢着孔部材１１３を介して連結される。
【００４２】
固定側羽根部１０６は、図１２に示すように、扉３が閉じた状態で扉３と突き合わされる扉枠２の側面Ｓ１に固定され、回動側羽根部１２９は、扉３が閉じた状態で扉枠２の側面Ｓ１と突き合わされる扉３の側面Ｓ２に固定される。固定側筒部１０７および回動側筒部１３０は、扉３が閉じた状態で、固定側羽根部１０６および回動側羽根部１２９に対して扉３が開く扉表側Ｄに位置している。
【００４３】
枢軸部材１１２は、図１３，１４に示すように、固定側部材１０４の固定側筒部１０７に枢着する固定側基軸部１１５と、固定側基軸部１１５に固定されて固定側基軸部１１５から上方へ延びるとともに、固定側基軸部１１５（固定側筒部１０７）と偏芯した偏芯軸部１１６とを有している。偏芯軸部１１６の固定側基軸部１１５（固定側筒部１０７）に対する偏芯量は、本実施形態では１ｍｍであるが、適宜設計変更することができる。
【００４４】
偏芯軸部１１６の下端（固定側基軸部１１５の上端）には、偏芯軸部１１６と同軸で、正六角柱形状の固定側表示部１２１（枢軸側回転調整部）が設けられる。固定側表示部１２１の外周面には、角柱の各面に対応して、数字の”１”〜”６”が固定側記号として印されている。なお、固定側記号は、識別可能であれば、かならずしも数字でなくてもよく、模様や色彩等であってもよい。
【００４５】
固定側筒部１０７の外周には、下カバー１２４が取り付けられる。下カバー１２４は、円筒の上端開口部が、固定側表示部１２１の六角柱形状と対応する六角孔形状となっており、下端開口部は、下側キャップ１２８が嵌る円形状となっている。
【００４６】
また、下カバー１２４の側面には、下端から切り込まれて上端近傍まで延びるスリット１２６が形成されており、スリット１２６には、固定側羽根部１０６が嵌合する。スリット１２６は、固定側羽根部１０６が嵌合できるように、固定側羽根部１０６と略同幅で形成されているが、スリット１２６の下端には、固定側羽根部１０６よりも幅が狭い下狭幅部１２６ａが形成される。スリット１２６の上端は、固定側羽根部１０６よりも所定長さＬ１（図１３参照）上方まで延在している。
【００４７】
下カバー１２４は、樹脂製であり、スリット１２６が弾性力によって固定側羽根部１０６を挟むように当接している。なお、下カバー１２４は、樹脂以外から形成されてもよい。下カバー１２４は、スリット１２６が固定側羽根部１０６に嵌合するようにスリット１２６の下狭幅部１２６ａを広げつつ、固定側筒部１０７の上方から被せられ、下カバー１２４の上端の六角形の開口部が、枢軸部材１１２の正六角柱形状の固定側表示部１２１（枢軸側回転調整部）に嵌合することができる。
【００４８】
枢着孔部材１１３は、回動側部材１０５の回動側筒部１３０に枢着する回動側基軸部１３１と、回動側基軸部１３１の下端から上方へ形成された偏芯枢着孔１３３とを有している。偏芯枢着孔１３３は、回動側基軸部１３１（回動側筒部１３０）に対して偏芯して形成されており、回動側基軸部１３１（回動側筒部１３０）に対する偏芯量は、本実施形態では１ｍｍであるが、適宜設計変更することができる。
【００４９】
回動側基軸部１３１の下端には、偏芯枢着孔１３３と同軸で、正六角柱形状の回動側表示部１４０（枢着孔側回転調整部）が設けられる。回動側表示部１４０の外周面には、角柱の各面に対応して、数字の”１”〜”６”が回動側記号として印されている。なお、回動側記号は、識別可能であれば、かならずしも数字でなくてもよく、模様や色彩等であってもよい。
【００５０】
回動側筒部１３０の外周には、上カバー１４３が取り付けられる。上カバー１４３は、円筒の下端開口部が、回動側表示部１４０の六角柱形状と対応する六角孔形状となっており、上端開口部は、上側キャップ１４４が嵌る円形状となっている。
【００５１】
また、上カバー１４３の側面には、上端から切り込まれて下端近傍まで延びるスリット１４５が形成されており、スリット１４５には、回動側羽根部１２９が嵌合する。スリット１４５は、回動側羽根部１２９が嵌合できるように、回動側羽根部１２９と略同幅で形成されているが、スリット１４５の上端には、回動側羽根部１２９よりも幅が狭い上狭幅部１４５ａが形成される。スリット１４５の下端は、回動側羽根部１２９よりも所定長さＬ２（図１３参照）下方まで延在している。
【００５２】
上カバー１４３は、樹脂製であり、スリット１４５が弾性力によって回動側羽根部１２９を挟むように当接している。上カバー１４３は、スリット１４５が固回動側羽根部１２９に嵌合するようにスリット１４５の上端を広げつつ、回動側筒部１３０の下方から被せられ、上カバー１４３の下端の六角形の開口部が、枢着孔部材１１３の正六角柱形状の回動側表示部１４０（回転調整部）に嵌合することができる。上カバー１４３および下カバー１２４は、外径が等しく形成される。
【００５３】
枢軸部材１１２の偏芯軸部１１６は、枢着孔部材１１３の偏芯枢着孔１３３に回転可能に枢着する。偏芯軸部１１６は、例えば金属製であり、枢着孔部材１１３は、例えば樹脂製である。このように、枢着孔部材１１３が偏芯軸部１１６よりも柔らかい材料で形成されるため、偏芯軸部１１６および偏芯枢着孔１３３の低温焼き付きを予防することができる。
【００５４】
回動側筒部１３０の内側面の上端には、調整ネジ用ネジ孔１５０が形成され、上方から昇降調整ネジ１５１（昇降部材）が螺合可能となっている。昇降調整ネジ１５１は、上方からドライバーによって回動可能となっている。上側キャップ１４４には、昇降調整ネジ１５１およびドライバーが挿通可能な貫通孔１４７が形成されている。
【００５５】
次に、第２実施形態に係る蝶番１０１の作用について説明する。
【００５６】
扉枠２および扉３にネジ留めされた蝶番１０１は、扉３を扉枠２に対して閉じた状態で、図１５に示すような状態となる。なお、固定側羽根部１０６および回動側羽根部１２９が、下カバー１２４および上カバー１４３の紙面奥側に位置している。図１５の扉表側のラインが基準位置Ａとなる。
【００５７】
この状態で、ドライバーによって上方から昇降調整ネジ１５１を回転させることで、昇降調整ネジ１５１が回動側筒部１３０に対して上下方向へ移動する。これにより、昇降調整ネジ１５１が枢着孔部材１１３を押圧し、回動側部材１０５が固定側部材１０４に対して上下方向へ移動し、扉３の鉛直方向への調整が可能となる。
【００５８】
次に、扉３を水平面方向へ調整するために、図１１に示す説明ラベル１２７から、固定側表示部１２１および回動側表示部１４０の回転角度を決定する。または、取り扱い説明書等に表示される説明ラベル１２７よりも詳細な表（固定側記号と回動側記号の全ての組合せを表示した表）から決定してもよい。
【００５９】
次に、図１５の状態から図１６の状態となるように、下カバー１２４を下方向へスライド移動させ、かつ図１５の状態から図１７の状態となるように、上カバー１４３を上方向へスライド移動させて、固定側表示部１２１および回動側表示部１４０を露出させる。これにより、六角柱形状の回動側表示部１４０および固定側表示部１２１が、回動側筒部１３０および固定側筒部１０７の六角孔の内周面から離脱し、回転可能な状態となる。なお、図１６および図１７では、偏芯軸部１１６および偏芯枢着孔１３３の動きが見やすいよう、偏芯軸部１１６および偏芯枢着孔１３３の連結を外した状態で図示しているが、実際には、連結した状態で調整を行っている。
【００６０】
上カバー１４３は、スリット１４５が、回動側羽根部１２９よりも所定長さＬ２だけ下方まで形成されているため、スリット１４５に沿って所定長さＬ２の範囲内で手動で容易に上下へ移動させることができ、かつ上カバー１４３のスリット１４５が弾性力によって回動側羽根部１２９を挟み込むことで、作業者が手を離しても、一定の位置で保持される。
【００６１】
また、下カバー１２４も、スリット１２６が、固定側羽根部１０６よりも所定長さＬ１だけ上方まで形成されているため、スリット１２６に沿って所定長さＬ１の範囲内で手動で容易に上下へ移動させることができ、かつ下カバー１２４のスリット１２６が弾性力によって固定側羽根部１０６を挟み込むことで、作業者が手を離しても、一定の位置で保持される。
【００６２】
次に、固定側表示部１２１および回動側表示部１４０を、六角スパナで回転させる。このとき、作業者がアクセスしやすい側方から容易に回転させることができる。六角スパナは、固定側表示部１２１および回動側表示部１４０の形状が汎用の六角ボルトの寸法に対応していれば、汎用品を使用することができるが、汎用品と寸法の異なる専用品であってもよい。したがって、固定側表示部１２１および回動側表示部１４０は、軸断面が六角形に限定されず、多角形であればよい。
【００６３】
固定側表示部１２１を回転させると、図１６に示すように、偏芯軸部１１６が固定側筒部１０７に対して偏芯しているため、固定側筒部１０７に対して振れ回ることになる。また、回動側表示部１４０を回転させると、図１７に示すように、偏芯枢着孔１３３が回動側筒部１３０に対して偏芯しているため、回動側筒部１３０に対して振れ回ることになる。このように、水平面で振れ回る偏芯軸部１１６および偏芯枢着孔１３３を組み合わせることで、水平面の交差する２方向への移動量を、独立して設定することができる。また、偏芯軸部１１６および偏芯枢着孔１３３の偏芯量が同一（いずれも１ｍｍ）であるため、互いの偏芯量をキャンセルさせて移動量を０ｍｍに設定することも可能である。
【００６４】
この後、上カバー１４３を下方向へ移動させ、かつ下カバー１２４を上方向へ移動させて、固定側表示部１２１および回動側表示部１４０を覆う（図１５参照）。これにより、上カバー１４３の下端の六角形の開口部が、枢着孔部材１１３の正六角柱形状の回動側表示部１４０に嵌合する。上カバー１４３は、スリット１４５が回動側羽根部１２９と嵌合していることで回動側筒部１３０に対して非回転的であるため、枢着孔部材１１３が回動側筒部１３０に対して固定的となる。また、下カバー１２４の上端の六角形の開口部に、枢軸部材１１２の正六角柱形状の固定側表示部１２１が嵌合する。下カバー１２４は、スリット１２６が固定側羽根部１０６と嵌合していることで固定側筒部１０７に対して非回転的であるため、枢軸部材１１２が固定側筒部１０７に対して固定的となる。なお、固定側表示部１２１および回動側表示部１４０を回転させる順番は、いずれが先でもよい。
【００６５】
下カバー１２４および上カバー１４３の中心軸は、偏芯軸部１１６および偏芯枢着孔１３３の中心軸と一致している。したがって、下カバー１２４および上カバー１４３の各々の中心軸は、扉３を３次元方向へ任意に調整した場合であっても、扉３を回動させる際に同一軸を保つこととなる。したがって、扉３を回動させる際に、下カバー１２４および上カバー１４３が互いに水平面で振れ回ることなく、下カバー１２４および上カバー１４３が１つの円柱形状を維持するため、外観が優れている。なお、下カバー１２４および上カバー１４３が１つの円柱形状を形成しなくてもよく、更には、互いに振れ回ってもよい。
【００６６】
第２実施形態に係る蝶番１０１によっても、昇降調整ネジ１５１、偏芯した偏芯軸部１１６および偏芯枢着孔１３３が設けられることで、３次元方向の各々へ独立して扉３の位置を調整できる。
【００６７】
また、枢軸部材１１２および枢着孔部材１１３の回転方向への固定位置の調整が、扉表側における各々の部材の回転外方向側（各々の部材の外周面に対向する側）から可能であるため、調整する部材へのアクセスが容易であり、作業性に優れている。したがって、扉３を閉じた状態、若しくはほぼ閉じているが調整前で完全には閉じられない状態で、扉枠２と扉３の位置関係を目視しつつ、容易に調整することができる。また、調整の際に扉３を開け閉めすることなく、または扉３を取り外すことなしに調整できるため、作業性に優れている。なお、枢軸部材１１２を枢着孔部材１１３から外した状態（扉３を扉枠２から外した状態）で調整することもできる。
【００６８】
また、固定側表示部１２１および回動側表示部１４０を回転させる際に、作業者がアクセスしやすい蝶番１０１の側方から容易に回転させることができる。更に、六角スパナにより固定側表示部１２１および回動側表示部１４０を回転させる方向と、偏芯軸部１１６および偏芯枢着孔１３３の振れ回る方向が同一であるため、直感的に作業することができ、作業性に優れている。
【００６９】
また、第１実施形態と異なり、下カバー１２４および上カバー１４３がボルト等で固定されておらず、道具を使わずに手動で上下にスライド移動させることができ、作業性が向上する。
【００７０】
また、図１８に示すように、固定側羽根部１０６がオフセット量Ｘを有する固定側部材１０４の固定側筒部１３０の内径が、上側部と下側部で等しいため、固定側部材１０４の上下を反転させても、固定側筒部１３０に枢軸部材１１２を嵌合できる。したがって、固定側部材１０４の上下を反転させることで、図１８中の一点差線で表す固定側羽根部１０６のオフセットＸの方向を反対側とすることが可能である。これにより、同一機種の蝶番１０１を、扉の右側または左側のいずれにも取り付け可能でなる。
【００７１】
また、固定側羽根部１０６および回動側羽根部１２９の少なくとも一方（本実施形態では回動側羽根部１２９）に、説明ラベル１２７が貼り付けられているため、長い期間を経た後に蝶番１０１の再調整を行う際に、例えば説明書等が紛失等されていても、容易に調整が可能となる。
＜第３実施形態＞
本第３実施形態に係る蝶番２０１は、第２実施形態に係る蝶番１０１を変形したものであり、第２実施形態と同一の機能を奏する部位には同一の符号を付して、説明を省略する。
【００７２】
第３実施形態に係る蝶番２０１の枢軸部材２１２は、図１９，２０に示すように、固定側基軸部２１５に、下方から上方へ延びる下側キャップ係合孔２１７が形成されている。下側キャップ係合孔２１７は、偏芯軸部１１６と同軸で形成される。
【００７３】
下カバー１２４に取り付けられる下側キャップ２２８には、下側キャップ２２８の中心軸上を上方へ延びる下側係合ピン２２９が形成されている。下側係合ピン２２９は、枢軸部材２１２の下側キャップ係合孔２１７の内径と一致する外径を有している。
【００７４】
下カバー１２４および偏芯軸部１１６は同軸で形成されているため、これらと同軸の下側係合ピン２２９および下側キャップ係合孔２１７は、下側係合ピン２２９が下側キャップ係合孔２１７に嵌合することで係合可能である。
【００７５】
また、第３実施形態に係る蝶番２０１の枢着孔部材２１３は、回動側基軸部２３１に上方から下方へ延びる上側キャップ係合孔２３７が形成されている。上側キャップ係合孔２３７は、偏芯枢着孔１３３と同軸で形成される。
【００７６】
上カバー１４３に取り付けられる上側キャップ２４４には、上側キャップ２４４中心軸上を下方へ延びる上側係合ピン２４９が形成されている。上側係合ピン２４９は、枢着孔部材２１３の上側キャップ係合孔２３７の内径と一致する外径を有している。
【００７７】
上カバー１４３および偏芯枢着孔１３３は同軸で形成されているため、これらと同軸の上側係合ピン２４９および上側キャップ係合孔２３７は、上側係合ピン２４９が上側キャップ係合孔２３７に嵌合することで互いに係合可能である。
【００７８】
回動側筒部１３０の調整ネジ用ネジ孔１５０には、上方から昇降調整ネジ２５１（昇降部材）が螺合可能となっている。昇降調整ネジ２５１は、上側係合ピン２４９が貫通可能な孔部２５２が形成されている。孔部２５２の周囲には、十字形のすり割り２５３が形成されており、上方からドライバーによって回動可能となっている。孔部２５２は、蝶番２０１の調整が行われても上側係合ピン２４９が接触しない大きさで形成されている。
【００７９】
第３実施形態に係る蝶番２０１によれば、上カバー１４３に取り付けられる上側キャップ２４４が枢着孔部材２１３に係合し、下カバー１２４に取り付けられる下側キャップ２２８が枢軸部材２１２に係合するため、スライド可能な上カバー１４３および下カバー１２４を適切な位置に保持できる。すなわち、枢着孔部材２１３と係合する上側キャップ２４４が上カバー１４３に設けられることで、上カバー１４３が、下方において枢着孔部材２１３の回動側表示部１４０と係合するだけでなく、上方においてもスライドすることで枢着孔部材２１３と係合することになり、傾くことなしに確実に位置が保持される。また、枢軸部材２１２と係合する下側キャップ２２８が下カバー１２４に設けられることで、下カバー１２４が、上方において枢軸部材２１２の固定側表示部１２１と係合するだけでなく、下方においてもスライドすることで枢軸部材２１２と係合することになり、傾くことなしに確実に位置が保持される。
＜第４実施形態＞
本第４実施形態に係る蝶番３０１は、第１実施形態に係る蝶番１を変形したものであり、第１実施形態と同一の機能を奏する部位には同一の符号を付して、説明を省略する。
【００８０】
第４実施形態に係る蝶番３０１は、図２１に示すように、枢軸部材３１２に、円形断面に一定角度毎の窪み３２２が形成された回転調整部３２１が設けられ、枢軸孔部材３１３にも、同様に一定角度毎の窪み３２３が形成された回転調整部３４０が設けられている。
【００８１】
上カバー３４３には、窪み３２３に嵌合可能な突起３２６が下方の内面に形成されている。また、下カバー３２４には、窪み３２２に嵌合可能な突起３２５が上方の内面に形成されている。
【００８２】
第４実施形態に係る蝶番３０１では、下カバー３２４および上カバー３４３を外すことで、窪み３２２，３２３から突起３２５，３２６が離脱して回転調整部３２１，３４０が回動可能となり、下カバー３２４および上カバー３４３を被せることで、窪み３２２，３２３に突起３２５，３２６が嵌合し、回転調整部３２１，３４０を非回転的に固定することができる。このとき、突起３２５，３２６および窪み３２２，３２３が一定角度毎に形成されているため、一定角度毎に嵌合させて、非回転的に連結することができる。
【００８３】
また、回転調整部３２１，３４０に窪み３２２，３２３が形成されているため、レンチ等を用いることなしに手動で回転調整部３２１，３４０を回転させることができ、さらに、ネジ等を用いることなしに、下カバー３２４および上カバー３４３を被せるだけで回転調整部３２１，３４０を固定することができる。
【００８４】
なお、本実施形態では、回転調整部３２１，３４０に窪み３２２，３２３を形成し、下カバー３２４および上カバー３４３に突起３２５，３２６を形成しているが、窪みと突起が逆に形成されてもよい。すなわち、一定角度毎に嵌合させて非回転的とすることができれば、形態は限定されない。
【００８５】
なお、本発明は上述した実施の形態に限定されるものではなく、特許請求の範囲の範囲内で種々改変することができる。例えば、第１実施形態のネジ受け部１８，３４の数は、周方向に８つでなくてもよく、７つ以下または９つ以上とすることができる。８つよりも多くすることで、水平面での扉３の調整位置をより細かく設定することができる。また、水平方向の調整を行った後に、鉛直方向への調整を行ってもよい。また、昇降部材として、他の構造を用いることもでき、例えば、昇降調整ネジ５１を固定側筒部７の下方から螺合させる構造とすることもできる。また、本実施形態では、偏芯軸部１６が固定側部材４側に設けられ、偏芯枢着孔３３が回動側部材５側に設けられているが、偏芯軸部１６を回動側部材５側に設け、偏芯枢着孔３３を固定側部材４側に設けてもよい。
【００８６】
また、蝶番１（１０１，２０１）は、扉３の上下２箇所に取り付けられるが、上下２つの蝶番１（１０１，２０１）は、異なる形状であってもよい。例えば、偏芯軸部１６（１１６）の長さを上下で異ならせることで、上下の蝶番の偏芯軸部１６（１１６）の枢着を同時に行う必要がなくなり、扉３の吊り込みの作業性が向上する。特に、下側の蝶番の偏芯軸部１６（１１６）の長さを、上側よりも長くすることが、より作業性に好ましい。また、上下同一の位置で扉３を吊り込んだ場合、蝶番１（１０１，２０１）の枢着部におけるガタにより扉３が下方へ垂れて傾くため、例えば上側の蝶番１（１０１，２０１）の固定側羽根部６（１０６）のオフセット量Ｘ（図１８参照）を下側の蝶番１（１０１，２０１）よりも短くすることで、扉３の垂れを防止することもできる。
【００８７】
また、第１実施形態の昇降調整ネジ５１を、第２実施形態のドライバーによって調整可能な昇降調整ネジ１５１とすることもできる。また、第１実施形態の上カバー４３および下カバー２４を、第２実施形態のスリット１２６，１４５に沿って手動でスライド可能な上カバー１４３および下カバー１２４のような構成とすることもできる。また、第２，第３実施形態の昇降調整ネジ１５１，２５１を、第１実施形態のように側方から調整可能な昇降調整ネジ５１とすることもできる。
【００８８】
また、第１〜第４実施形態の蝶番１，１０１，２０１，３０１を、昇降部材が設けられない形態とすることも可能である。
【符号の説明】
【００８９】
１，１０１，２０１，３０１    蝶番、
２    扉枠、
３    扉、
４，１０４    固定側部材、
５，１０５    回動側部材、
６，１０６    固定側羽根部、
７，１０７    固定側筒部、
１２，１１２，２１２，３１２    枢軸部材、
１３，１１３，２１３，３１３    枢着孔部材、
１６，１１６    偏芯軸部、
２１，１２１，２２１    固定側表示部（回転調整部）、
２２    下カバー取付ネジ（係合手段）、
２３    固定側レンチ挿入孔（回転調整部（孔部））、
２４，１２４，２２４，３２４    下カバー、
２７，１２７    説明ラベル、
２９，１２９    回動側羽根部、
３０，１３０    回動側筒部、
３３，１３３    偏芯枢着孔、
４０，１４０，２４０    回動側表示部（回転調整部）、
４１    回動側レンチ挿入孔（回転調整部（孔部））、
４３，１４３，２４３，３４３    上カバー、
４７    上カバー取付ネジ（係合手段）、
５０    調整ネジ用ネジ孔、
５１，１５１，２５１    昇降調整ネジ（昇降部材）、
５６    レンチ挿入孔（孔部）、
２２９    下側係合ピン（係合手段）、
２４９    上側係合ピン（係合手段）、
Ａ    基準位置、
Ｄ    扉表側、
Ｓ１    扉の側面、
Ｓ２    扉枠の側面。
【図１】
2010089942.tif 000003
【図２】
2010089942.tif 000004
【図３】
2010089942.tif 000005
【図４】
2010089942.tif 000006
【図５】
2010089942.tif 000007
【図６】
2010089942.tif 000008
【図７】
2010089942.tif 000009
【図８】
2010089942.tif 000010
【図９】
2010089942.tif 000011
【図１０】
2010089942.tif 000012
【図１１】
2010089942.tif 000013
【図１２】
2010089942.tif 000014
【図１３】
2010089942.tif 000015
【図１４】
2010089942.tif 000016
【図１５】
2010089942.tif 000017
【図１６】
2010089942.tif 000018
【図１７】
2010089942.tif 000019
【図１８】
2010089942.tif 000020
【図１９】
2010089942.tif 000021
【図２０】
2010089942.tif 000022
【図２１】
2010089942.tif 000023
【国際調査報告】
2010089942.tif 000024
2010089942.tif 000025